(57)【要約】【課題】窓を跨ぐように上下方向にバーを架設することで、例えば、浴室のデザイン性や機能性を向上させることができる壁体を提供する。【解決手段】窓が形成された壁体の室内側に突設した状態で、かつ上記窓の上下方向にバーを架設して壁体を構成した。この壁体は、浴室の壁として用いるのが好適である。この場合、前記バーには、ミラー及び／又はシャワーフックを配設し、該バーの内部には、給水及び／又は給湯管が配設されており、該給水及び／又は給湯管の上部には、シャワーホースの分岐点を形成した。【選択図】図１
2007159844.tif 000002
【特許請求の範囲】
【請求項１】
窓が形成された壁体の室内側に突設した状態で、かつ上記窓の上下方向にバーを架設したことを特徴とする壁体。
【請求項２】
請求項１に記載された壁体は、浴室の壁として用いられることを特徴とする壁体。
【請求項３】
前記バーには、ミラー及び／又はシャワーフックが配設されていることを特徴とする請求項１又は請求項２のいずれかに記載の壁体。
【請求項４】
前記バーの内部には、給水及び／又は給湯管が配設されており、該給水及び／又は給湯管の上部には、シャワーホースの分岐点が形成されていることを特徴とする請求項１乃至請求項３のいずれかに記載の壁体。
【請求項５】
前記バーの下端部は、窓の下方に設置されたカウンターから立ち上げられていることを特徴とする請求項２乃至請求項４のいずれかに記載の壁体。
【請求項６】
前記バーは、浴槽と洗い場の境界付近に配置されていることを特徴とする請求項２乃至請求項５のいずれかに記載の壁体。
【請求項７】
前記ミラーは、前記バーを軸として回動自在に保持され、或はミラーを保持する保持具がバーを軸として回動自在に保持されていることを特徴とする請求項１乃至請求項５のいずれかに記載の壁体。
【発明の詳細な説明】
【技術分野】
【０００１】
この発明は、窓が形成された壁パネル等の壁体に係り、特に、ユニットバス等の住宅用浴室の洗い場側の正面側の側壁に窓が設けられた浴室に好適な壁体に関する。
【背景技術】
【０００２】
従来、明るさや開放感を得る目的から浴室の一部の壁に窓を形成したものが多く見受けられる（例えば、特許文献１参照）。
【０００３】
【特許文献１】特開平１１−２２９６４０号公報
【発明の開示】
【発明が解決しようとする課題】
【０００４】
しかしながら、窓が形成された壁には、例えば、手すりやシャワーフック等が取り付けにくかったため、浴室のデザインが制約される、という問題を有していた。
【０００５】
この発明は、かかる現状に鑑み創案されたものであって、その目的とするところは、窓を跨ぐように上下方向にバーを架設することで、例えば、浴室のデザイン性や機能性を向上させることができる壁体を提供しようとするものである。
【課題を解決するための手段】
【０００６】
上記目的を達成するため、請求項１に記載の壁体は、窓が形成された壁体の室内側に突設した状態で、かつ上記窓の上下方向にバーを架設したことを特徴とする。
【０００７】
請求項２に記載の発明は、請求項１に記載の壁体を、浴室の壁として用いることを特徴とする。
【０００８】
請求項３に記載の発明は、請求項１又は請求項２のいずれかに記載の壁体を技術的前提とし、前記バーには、ミラー及び／又はシャワーフックが配設されていることを特徴とする。
【０００９】
請求項４に記載の発明は、請求項１乃至請求項３のいずれかに記載の壁体を技術的前提とし、前記バーの内部には、給水及び／又は給湯管が配設されており、該給水及び／又は給湯管の上部には、シャワーホースの分岐点が形成されていることを特徴とする。
【００１０】
請求項５に記載の発明は、請求項２乃至請求項４のいずれかに記載の壁体を技術的前提とし、前記バーの下端部は、窓の下方に設置されたカウンターから立ち上げられていることを特徴とする。
【００１１】
請求項６に記載の発明は、請求項２乃至請求項５のいずれかに記載の壁体を技術的前提とし、前記バーは、浴槽と洗い場の境界付近に配置されていることを特徴とする。
【００１２】
請求項７に記載の発明は、請求項１乃至請求項５のいずれかに記載の壁体を技術的前提とし、前記ミラーは、前記バーを軸として回動自在に保持され、或はミラーを保持する保持具がバーを軸として回動自在に保持されていることを特徴とする。
【発明の効果】
【００１３】
以上説明したように、請求項１乃至請求項３に記載の発明にあっては、窓が形成された壁体の室内側に突設した状態で、かつ上記窓の上下方向にバーを架設したので、該バーを手すりとして使用し、或はシャワーフック或はミラーの保持体としても使用することができるので、例えば、浴室のデザイン性や機能性を向上させることができる。勿論、この発明にあっては浴室の壁体以外にも適宜適用することができる。
【００１４】
特に、ミラーの場合、従来は、その下端がサッシやレールで支持されていたため、ミラーに水がかかった場合には水はけが悪いという問題を有していたが、本発明にあっては、ミラーは本壁体の室内側であって、その下端部が支持されない構造であるため、水仕舞が良好となる、という効果も得られる。
【００１５】
請求項４に記載の発明は、前記バーの内部に、給水及び／又は給湯管を配設し、該給水及び／又は給湯管の上部には、シャワーホースの分岐点を形成することで、バーに手すりとシャワー保持体としての２つの機能を持たせることができるため、デザイン性及び使い勝手を向上させることができる。
【００１６】
請求項５に記載の発明は、前記バーの下端部を、窓の下方に設置されたカウンターから立ち上げたので、水回りをカウンターに集中させることができ、使い勝手を向上させることができる。
【００１７】
請求項６に記載の発明は、前記バーを、浴槽と洗い場の境界付近に配置したので、浴槽への出入りを補助する握りバーとして使用することができ、安全性を向上させることができる。
【００１８】
請求項７に記載の発明は、前記ミラーを、前記バーを軸として回動自在に保持し、或はミラーを保持する保持具がバーを軸として回動自在に保持したので、ミラーの裏面を容易に掃除することができる。また、ミラーが窓の開閉の邪魔となることもない。
【発明を実施するための最良の形態】
【００１９】
以下、添付図面に示す発明の実施例に基づき、この発明を詳細に説明する。
【００２０】
図１は、この発明の一実施例に係る壁体を浴室に適用した状態を示す斜視図を、図２は同浴室の内部正面図を、図３は同浴室の断面図を、図４は同壁体のバーをカウンターと接続した他の実施例を示す斜視図を、図５は同壁体のバーにミラー保持体を取り付けた状態を示す平面図を、図６は同ミラー保持体とバーの取り付け状態を示す説明図を、夫々示している。
【００２１】
即ち、本実施例に係る壁体Ｗは、浴室の洗い場の正面側の側壁に用いた例を示しており、該壁体Ｗは、浴室ユニットで使用されている公知の壁パネル材等の材質、例えば、硬質合成樹脂材やホーロー材等で所要形状及び所要寸法で形成されており、該壁体Ｗには、窓Ａが形成されている。
【００２２】
この窓Ａは、窓枠１と、この窓枠１に嵌め殺しのガラス板或は公知の引き戸や、観音開き方式の窓等、公知の窓構造が適用される。
【００２３】
このように構成された壁体Ｗの室内側であって、窓Ａの上下方向に、該窓Ａを跨ぐように、側面形状が略コ字状に形成されたバーＢが架設されている。このとき、該バーＢは、浴槽Ｃと洗い場Ｄ（図２参照）との境界付近に配設されている。これにより、浴槽Ｃへの出入りを補助する握りバーとして使用することができ、安全性を向上させることができる。また、このバーＢの下端部は、図４に示すように、窓Ａの下方に設置されたカウンターＥから立ち上げ、カウンターＥ内を通した給水及び／又は給湯管２をバーＢ内へと導き、バーＢの上端部にシャワーホース３を連通接続することで、水回りをカウンターＥに集中させたので、使い勝手を向上させることができる。尚、同図中、符号４はバーＢにスライド自在に係止されたシャワーフックである。
【００２４】
このバーＢは、手すりとしても使用可能であるが、この実施例では、ミラーＭを保持させるように構成し、該給水・給湯管２の上部には、シャワーホース３の分岐点を形成したので、バーＢに手すりとシャワー保持体としての２つの機能を持たせることができる。
【００２５】
また、ミラーＭは、図５と図６に示すように、バーＢが嵌合される平面形状が略Ｕ字状の切欠き溝１１を有するバーホルダー１０と、上記切欠き溝１１に装着され該バーホルダー１０をバーＢに圧接固定するストッパー１２と、上記バーホルダー１０の室内側切欠き溝１３に軸１４を介して一端部が水平方向に回動自在に軸支されたパイプ１５と、該パイプ１５の他端部に軸１６を介して回動自在に軸支されたミラー本体１７と、から構成されている。尚、ミラー本体１７は、ミラーカバー１８と、ミラー１９で構成されている。
【００２６】
このようにミラーＭをバーＢにミラーホルダー１０とパイプ１５を介して回動自在に保持することで、ミラーＭの下端部が支持されない構造であるため、水仕舞が良好となる。
【００２７】
この実施例に係る壁体Ｗは、以上説明したように、浴室の壁体Ｗとして使用した場合には、窓Ａが形成された壁体Ｗの室内側に突設した状態で、かつ上記窓Ｗの上下方向にバーＢを架設したので、該バーＢを手すりとして使用し、或はシャワーフック或はミラーＭの保持体としても使用することができるので、例えば、浴室のデザイン性や機能性を向上させることができる。
【００２８】
特に、ミラーＭの場合、従来は、その下端がサッシやレールで支持されていたため、ミラーに水がかかった場合には水はけが悪いという問題を有していたが、本実施例にあっては、ミラーＭは壁体Ｗの室内側であって、その下端部が支持されない構造であるため、水仕舞が良好となる、という効果も得られる。
【００２９】
そして、前記バーＢの内部に、給水・給湯管２を配設し、該給水・給湯管２の上部には、シャワーホース３の分岐点を形成することで、バーＢに手すりとシャワー保持体としての２つの機能を持たせることができるため、デザイン性及び使い勝手を向上させることができる。
【００３０】
また、前記バーＢの下端部を、窓Ａの下方に設置されたカウンターＥから立ち上げたので、水回りをカウンターＥに集中させることができ、使い勝手を大幅に向上させることができる。
【００３１】
さらに、前記バーＢを、浴槽Ｃと洗い場Ｄの境界付近に配置したので、浴槽Ｃへの出入りを補助する握りバーとして使用することができ、安全性を向上させることができる。
【００３２】
またさらに、前記ミラーＭを、前記バーＢを軸として回動自在に保持し、或はミラーＭを保持するバーホルダー１０とパイプ１５がバーＢを軸として回動自在に保持することができるので、ミラーＭの裏面を容易に掃除することができる。また、ミラーＭが窓Ａの開閉の邪魔となることもない。
【００３３】
尚、上記実施例では、ミラーＭを小さなミラーで構成した場合を例にとり説明したが、この発明にあってはこれに限定されるものではなく、例えば、図７と図８に示すような姿見のような大きなミラーＭ１をミラーホルダー１０Ａ，１０Ａで保持し、或は、図９乃至図１２に示すような角型ミラーＭ２をバーＢを軸として回動自在に保持させてもよい。
【図面の簡単な説明】
【００３４】
【図１】この発明の実施例１に係る壁体を浴室に設置した状態を示す斜視図である。
【図２】同浴室の内部正面図である。
【図３】同浴室の断面図である。
【図４】同壁体のバーをカウンターと接続した他の実施例を示す斜視図である。
【図５】同壁体のバーにミラー保持体を取り付けた状態を示す平面図である。
【図６】同ミラー保持体とバーの取り付け状態を示す説明図である。
【図７】同バーに取り付けられるミラーの他例を示す説明図である。
【図８】同ミラーの平面図である。
【図９】同バーに取り付けられるミラーのさらに他例を示す正面図である。
【図１０】同ミラーの平面図である。
【図１１】同ミラーの断面図である。
【図１２】同ミラーの左側面図である。
【符号の説明】
【００３５】
Ａ  窓
Ｂ  バー
Ｃ  浴槽
Ｄ  洗い場
Ｅ  カウンター
Ｍ，Ｍ１，Ｍ２  ミラー
Ｗ  壁体
１  窓枠
２  給水・給湯管
３  シャワーホース
１０  バーホルダー
１１  切欠き溝
１２  ストッパー
１３  室内側切欠き溝
１４，１６  軸
１５  パイプ
１７  ミラー本体
【図１】
2007159844.tif 000003
【図２】
2007159844.tif 000004
【図３】
2007159844.tif 000005
【図４】
2007159844.tif 000006
【図５】
2007159844.tif 000007
【図６】
2007159844.tif 000008
【図７】
2007159844.tif 000009
【図８】
2007159844.tif 000010
【図９】
2007159844.tif 000011
【図１０】
2007159844.tif 000012
【図１１】
2007159844.tif 000013
【図１２】
2007159844.tif 000014